(57)【要約】      （修正有）【課題】ガスレンジ器具に載置された調理器具の底部から周辺に飛散する炎を吸収して熱量の損失を防ぎ、且つ吸収した熱量を遠赤外線として調理器具の底部に放出しガスの燃焼エネルギーの無駄を抑えた省エネ効果の高いガス火力調整器具を提供する。【解決手段】調理器具の底部を支えるための複数の爪状突起３ａを有する五徳３が、火口部を囲繞し設置されてなるガスレンジ器具２において、前記五徳の爪状突起の間に嵌入され載置するガス火力調整器具１であって、該ガス火力調整器具が、線材を円筒状に捲いた円筒コイルバネの両端部を接続して円形状に構成されることを特徴とする。【選択図】図２
0003155310.tif 000002
【実用新案登録請求の範囲】
【請求項１】
調理器具の底部を支えるための複数の爪状突起を有する五徳が、火口部を囲繞し設置されてなるガスレンジ器具において、
前記五徳の爪状突起の間に嵌入され載置するガス火力調整器具であって、
該ガス火力調整器具が、線材を円筒状に捲いた円筒コイルバネの両端部を接続して円形状に構成されることを特徴とするガス火力調整器具。
【請求項２】
前記調理器具の底部に当接する前記円筒コイルバネの上部の形状が、円形から扁平状に成形されてなることを特徴とする請求項１記載のガス火力調整装置。
【請求項３】
前記ガス火力調整器具を構成する前記円筒コイルバネが、中空パイプ状の前記線材からなることを特徴とする請求項１または請求項２記載のガス火力調整装置。
【考案の詳細な説明】
【技術分野】
【０００１】
本考案は、ガスレンジ器具の五徳に取り付けて、ガスレンジ器具の火力を効率良く利用するための円形状ワイヤーコイルからなるガス火力調整器具に関する。
【背景技術】
【０００２】
従来のガスレンジ器具の火力調整は、ガスに点火した後でスライド式或いはダイヤル式のつまみで強弱の調整を行うのが一般的である。小さな鍋、ヤカン等を載置して点火後、火力を調整せずにそのまま放置してしまうと、既存のレンジ五徳の爪の間隔が広すぎて鍋やヤカンの載置の位置が不安定であったり、把手部までガスの炎で加熱してしまい火傷や木製の把手の場合は焼損する危険があった。そのためガスレンジ器具の点火後、ガスの炎の拡散や熱の放散を防いでガスの消費量を押さえ、熱効率を高め、且つ火傷や火災等の危険を抑制するガスレンジ器具が考案されている。
【０００３】
例えば、特許文献１に開示されているガスレンジ集熱器具のように、ガスレンジに既存の五徳周辺を円筒状のカバーで囲うことでガスの熱及びを炎の放散を防ぎ、ガスの消費量を削減して熱効率を倍増して、火災等の危険を抑制するガスレンジ集熱器具が提案されている。
【０００４】
また、特許文献２に開示されているガスレンジ用補助五徳のように、簡単な構造で既存のレンジ五徳の上に容易に載置可能で、調理器具を載置したときの安定性も向上させるガスレンジ用補助五徳が提案されている。
【先行技術文献】
【特許文献】
【０００５】
【特許文献１】特開２００６−２５０５２０号公報
【特許文献２】特開２００２−２２１８７号公報
【考案の概要】
【考案が解決しようとする課題】
【０００６】
しかし、従来のガスレンジ器具では火力の対象物である鍋、ヤカン等の大小に係らず火力の調整が一定のため、比較的小型の鍋やヤカンを使用する際、火力を弱にした場合には調理に時間がかかり、逆に火力を強にすると炎が上部の把手部まで熱するため火傷の危険を生じる恐れがある。比較的大きい鍋、ヤカン、フライパン等の調理器具でも火力を強にした場合は、底辺よりはみ出した炎が周辺に飛散し無駄な熱量を損失している。また、周辺に飛散する炎により、火災の危険も内在する。
【０００７】
また、特許文献１及び２に記載の事例の場合には、五徳周辺を囲う構成のためガスレンジ器具の点火の確認し難い問題がある。
【０００８】
本考案は、以上のような問題点に着目して成されたもので、円形に成形されたワイヤーコイルが既存の五徳を挟み込むように取付けられたガス火力調整器具により、調理器具の底部を全周で保持するため、調理器具のサイズの違いによる傾きやズレが発生することが無い。また調理器具の底部から周辺に飛散する炎をワイヤーコイルが吸収して熱量の損失を防ぎ、ワイヤーコイルが吸収した熱量を遠赤外線等の放射熱として調理器具の底部に集中するように放出するため、ガスの燃焼エネルギーの無駄を抑えた省エネ効果の高いガス火力調整器具を提供することを目的とする。
【課題を解決するための手段】
【０００９】
よって本考案は、上記の目的を達成するため、以下（１）〜（３）の構成を備えるものである。
【００１０】
（１）調理器具の底部を支えるための複数の爪状突起を有する五徳が、火口部を囲繞し設置されてなるガスレンジ器具において、前記五徳の爪状突起の間に嵌入され載置するガス火力調整器具であって、該ガス火力調整器具が、線材を円筒状に捲いた円筒コイルバネの両端部を接続して円形状に構成されることを特徴とするガス火力調整器具。
【００１１】
（２）前記調理器具の底部に当接する前記円筒コイルバネの上部の形状が、円形から扁平状に成形されてなることを特徴とする前記（１）記載のガス火力調整装置。
【００１２】
（３）前記ガス火力調整器具を構成する前記円筒コイルバネが、中空パイプ状の前記線材からなることを特徴とする前記（１）または（２）記載のガス火力調整装置。
【考案の効果】
【００１３】
本考案によれば、ガスレンジ器具の既存の五徳の間に円形に形成されたワイヤーコイルを嵌入することで、以下の（１）〜（４）の効果を発揮するガス火力調整器具を提供することができる。
【００１４】
（１）ガスレンジ器具の載置された調理器具の底部から周囲に拡散する炎による熱の放散を防止し、且つワイヤーコイルによって周辺に拡散する炎を吸収し遠赤外線等の放射熱を放出することでガスの燃焼エネルギーの無駄を無くすことができる。
【００１５】
（２）小型の調理器具を載置した場合でも、円形のワイヤーコイルにより炎の拡散が吸収されることで調理器上部の把手や柄が加熱されないため、火傷や火災の危険を大幅に減少させることができる。
【００１６】
（３）火力調整つまみを閉じてガスの供給を遮断しても、ステンレス製のワイヤーコイルに蓄熱された熱エネルギーで、調理器具を保温する余熱効果が得られる。
【００１７】
（４）ガス火力調整器具のワイヤーコイルの形状が円形に形成されているため、載置する調理器具のサイズにかかわらず底部を全周で支えるため、調理器具の傾きやズレを防ぐことができる。
【図面の簡単な説明】
【００１８】
【図１】本実施例に係るガス火力調整器具の構造図、（ａ）ワイヤーコイルの構造図、（ｂ）Ａ−Ａ拡大断面図、（ｃ）Ｂ−Ｂ拡大断面図
【図２】本実施例に係るガス火力調整器具を既存のガスレンジ器具への装着方法
【図３】本実施例に係るガス火力調整器具への調理器具の載置図、（ａ）小型調理器具の載置図、（ｂ）大型調理器具の載置図
【考案を実施するための形態】
【００１９】
以下、本考案を実施するための形態を、実施例により詳しく説明する。
【実施例１】
【００２０】
図１は、本実施例に係るガス火力調整器具の構成図である。図１（ａ）は構成図で、図１（ｂ）はＡ−Ａ拡大断面図、図１（ｃ）はＢ−Ｂ拡大断面図である。図２は本実施例に係るガス火力調整器具を既存のガスレンジ器具への装着方法を示す図である。図３は、本実施例に係るガス火力調整器具へ調理器具の載置した図で、図１（ａ）は小型調理器具を載置した図で、図１（ｂ）は大型調理器具を載置した図である。
【００２１】
図中において、１は本実施例に係るガス火力調整器具で、ワイヤーコイルで構成されている。２は市販されている既存のガスレンジ器具である。３はガスレンジ器具２に火口を囲繞し設置された既存の五徳である。五徳３には複数個の爪状突起３ａが付いている。４はガスレンジ器具２のガスバーナ部の火口である。５はガスの点火及び火力を調整する火力調整つまみである。６は鍋、ヤカン等の調理器具である。
【００２２】
図１（ａ）に示すガス火力調整器具（以下、「ワイヤーコイル」と記す）１は、図１（ｂ）の断面図に示すように中空のステンレスパイプを円筒状に圧縮成形して製作された円筒コイルバネで、その円筒コイルバネの両端部を接続し円形状に形成されている。中空ステンレスパイプのワイヤーコイル１を使用することで、熱伝導率の低いステンレスによるガスの燃焼エネルギーの吸収を極力抑えた構成となっている。また、図１（ｃ）に示すように調理器具６の底部を支えるワイヤーコイル１の上面部の円筒コイルバネの形状を、調理器具６と当接する部分のみ円形から扁平状に成形して高さを抑えることで、ガスレンジ器具２に予め装備されている空焚き防止センサー、及び吹きこぼれ防止センサー等の感度を損なわないように工夫している。
【００２３】
図２（ａ）、（ｂ）に示す装着方法によりガスレンジ器具２の五徳３の爪状突起３ａの間に嵌入して取付けられるワイヤーコイル１は、ワイヤーコイル１の持つ弾性力で五徳３の爪状突起３ａとの間の適度な圧着力の働きにより、容易に外れることがない。また、爪状突起３ａを持つガスレンジ器具２であれば、製造メーカの製品の種類に関係なく取付けることができる。
【００２４】
ガスレンジ器具２の五徳３に取付けられたワイヤーコイル１に、図３（ａ）に示すような小型の鍋、ヤカン等の調理器具６を載置してガス火力の際、火力調整つまみ５を強で点火した場合、円形状のワイヤーコイル１がガスバーナ部の火口４より立ち上る火炎を吸収することで火炎が把手や柄の部分に及ぶことが無く、調理器具６の底部から洩れ出る炎の火力の発散を防ぐことができる。同様に図３（ｂ）に示す大型の中華鍋等の調理器具６を載置した場合でも、調理器具６の底部から洩れ出る炎が遮断されることで調理器具６の把手や柄などが加熱されることも無く、更に炎が鍋の中の油に回り込んで火災の発生する恐れを大幅に低減することができる。
【００２５】
また、ワイヤーコイル１に吸収される火力により、ワイヤーコイル１が加熱されて遠赤外線等の放射熱を放出して鍋、ヤカン等の底面を集中的に加熱するため加熱時間が短縮され、ガスの燃焼エネルギーの無駄を無くし省エネ効果が得られる。ガス火力調整つまみ５を閉じてガスの供給を遮断しても、ステンレス製のワイヤーコイル１の持つ蓄熱効果により、ワイヤーコイル１に載置された調理器具６を余熱で保温する効果が得られる。
【００２６】
また、間隙のあるワイヤーコイル１の形状により、点火の際のガスの着火を容易に確認することができ、そして燃焼の際のガスに供給される空気の流れが阻害されることが無いため、不完全燃焼を起こす危険性を防ぐことができる。また、図３に示すように円形のワイヤーコイル１の形状により、載置する調理器具６の底面部の全周で保持し支えるため、調理器具６の傾きやズレなどが発生しない安定した載置状態を提供できる。
【００２７】
以上で説明したように、本実施例に係るガス火力調整器具を構成するワイヤーコイルにより、調理器具のサイズの違いによる傾きやズレなどが発生しない安定した載置状態を提供できる。また、調理器具の底部から周辺に飛散する炎をワイヤーコイルが吸収して熱量の損失を防ぎ、ワイヤーコイルが吸収した熱量を遠赤外線等の放射熱として調理器具の底部に集中するように放出し、ガスの燃焼エネルギーの無駄を抑えた省エネ効果の高いガス火力調整器具を提供することができる。
【符号の説明】
【００２８】
１    ワイヤーコイル（ガス火力調整器具に対応）
２    ガスレンジ器具
３    五徳
３ａ  爪状突起
４    火口
５    火力調整つまみ
６    調理器具
【図１】
0003155310.tif 000003
【図２】
0003155310.tif 000004
【図３】
0003155310.tif 000005